Podtech/llm-jp-corpus-v4-ja_patent huggingface dataset:
(57)【要約】      （修正有）【課題】果樹その他植物が早魃時、或いは保水力の弱い土質土壌に対して、比較的安定した成長・育成を助ける手段として、空洞のある炭化物杭を活用する。【解決手段】炭化等で作った空洞炭化物杭を、果樹等の植物の根床土壌部に打ち込む、或いは、埋め込むことによって、降雨、又は灌水の水を、空洞炭化物杭の空洞部に、溜め水として保存し，自然早魃、或いは保水力の弱い土壌に対して、水分の維持を図る目的としている。同時に、空洞による空気の通気、乃至は土壌中炭酸ガス等の閉鎖予防も考慮にしている。【選択図】なし【特許請求の範囲】
【請求項１】
本発明は、果実、植物等の根床土壌の水枯れ現象に挑戦したもので、炭化物粉末、乃至は炭化物との混合粉末を、混和混練り成形した、不定形状の炭化物に空洞を設けたことを、特徴とした炭化物。
【発明の詳細な説明】
【０００１】
【発明の属する技術分野】
本発明は、炭化物がもつ通気性、保水性、透水性、不溶解性の特徴に加えて、不定形状炭化物内に空洞も受け、空洞に溜めた水による灌水効果を得ようとするもので、併せて空気の供給効果も得られる技術。
【０００２】
【従来の技術】
果樹、庭樹、植物等の育成・維持の阻害要因を解決する手段として、今までは腐葉物の埋込み、耕耘そして灌水を行うなどにより、根床土壌の通気、乃至は保水の歴史的技術に依存してるのが現状である。
【０００３】
【発明が解決しようとする課題】
果樹、庭木、植物の育成・保持において、一番の課題は自然天候変動による早魃の厳しさから如何に解放してやるかである。これを解決するためには、歴史的慣習的な従来の技法のみでなく、溜水機能を持つ、空洞を備えた不定形状炭化物を根床土壌に埋め込むこととする。
【０００４】
【課題を解決するための手段】
果樹・植物など、特に育成時期においては、自然天候の変動による水分の過不足が収穫・維持に左右されることから，出来るだけ気象変動から解放する手段として、空洞を設けた不定形状炭化物を、根床土壌に埋め込むことによって、降雨時、或いは灌水時に空洞部に余分水を溜め、旱魃、或いは透水性の強い砂質土壌どの場合の対策効果となる。又、併せて空洞効果として、空気の一段の通気効果が得られる。
【０００５】
【発明の実施の形態】
果樹、植物類の根床に埋め込む不定形状炭化物の空洞の位置は、例えば、球状形のものでは、中心点に向かって、棒状形のものでは、長方向に向かって設けるものである。果樹，植物の根床土壌が旱魃状態を続けると果樹の場合は、果実の酸度・糖度・水分のバランスが崩れ商品価値を失いかねない。又，庭木の場合は弱勢化のおこし、害虫の発生を招き、普通植物にあっては、葉枯れ・花落ち現象となるので、この被害を無くする施策として、特に成長期には、根床土壌部分に出来るだけ長く保水状態が保持できる状態として、炭化物一般の特性を活かした空洞部に雨水・灌水を溜めるために、土壌中深く保水及び空気の供給・通気が盛んに行われ、水涸れ、或いは酸素不足にる有機物分解の炭酸ガス濃度の上昇による根腐れ、成長閉塞を防ぐことも出来る。
【０００６】
【第１実施例】
図ＩＩ．において実施例を示しているとをり、棒状空洞炭化物５０ｍｍ経で３００ｍｍの長さを持つ杭を、果樹などの細毛が根張りしている土壌中に、空洞上部を上向きに埋め込み、空洞上部が地表−５〜１ｍｍ以内に留めることとしている。
【０００７】
【発明の効果】
果樹園、庭園その他植物園等において、天候による旱魃、或いは保水力のない土壌質の場合に、空洞炭化物を根床土壌に空洞上部が−５ｍｍ〜１ｍｍに埋め込むことによって、雨水、灌水は溜め水として溜まり、除々に炭化物を通して吸収され又、空洞の空間部は空気の供給、或いはガス分の発散作用を促し、果樹その他植物に対して、自然現象を超えて安定的に育成・成長の効果に寄与するものである。
【図面の簡単な説明】
【図１】本発明の空洞炭化物杭斜視図
【図ＩＩ】本説明の空洞炭化物杭の施工例を示す面図。
【図ＩＩＩ】本説明の溜め水，空気，杭上部位置等を示した断面図。
【符号の説明】
１は空洞炭化物杭
２は細毛根
３は雨水
４は水分調整
５は空洞
６は果樹
７は過水分
８は溜め水
９は空気
１０は杭上部位置
2004329183.tif 000002
2004329183.tif 000003
2004329183.tif 000004
(57)【要約】【課題】カカオ固形分及び乳固形分を必須成分とせず、油脂や砂糖を過度に含有しない、コ−ヒ−や茶類の自然な風味を持つチョコレ−ト類を提供することを目的とする。【解決手段】コ−ヒ−又は茶類の繊維質をである抽出残渣を配合することで、適度な風味と甘味を有するチョコレ−ト類を得ることができる。【特許請求の範囲】
【請求項１】
生地中にコ−ヒ−粕を重量５％以上含有するチョコレ−ト類
【請求項２】
生地中にコ−ヒ−（焙煎されたコ−ヒ−豆）とコ−ヒ−粕の総量を重量５％以上含有するチョコレ−ト類
【請求項３】
生地中に、茶類の抽出残渣を重量５％以上含有するチョコレ−ト類
【請求項４】
生地中に茶類（水又は湯でその成分を抽出して飲料として供される茶の乾燥体、又は同様に処理された茶類であって、抹茶等の様に直接食用に供するために繊維質の少ない部位のみを選択して加工したものは含まない）及び茶類の抽出残渣を総量で重量５％以上含有するチョコレ−ト類
【発明の詳細な説明】
【０００１】
【発明の属する技術分野】本発明は、コ−ヒ−や茶類の風味を有するチョコレ−ト類の製法に関するものである。
【０００２】
【従来の技術】チョコレ−ト類は、カカオ脂（ココアバタ−）及びその他の油脂類、甘味固形分としての砂糖、風味固形分としてのカカオ固形分及び乳固形分からなり、特有のスナップ性（パリッとした食感）や口溶け性を有している。
【０００３】チョコレ−トの規格（チョコレ−ト業公正取引協議会）では、チョコレ−トの種類をカカオ分と、乳固形分の含有量によって分類、規定している。
【０００４】一般に、チョコレ−トの粘度や口溶けなどの物理的性質は、油脂と固形分の割合、そして固形分の粒子の大きさに大きく依存している。
【０００５】ホワイトチョコレ−トの乳固形分を減じると、減じた分量を油脂又は砂糖で補うこととなる。粘度などの物性を維持するためには甘味の強すぎるものとなり、甘味を維持するためには油脂を多くして粘度が低く脂っぽい味をもつものとなってしまう。
【０００６】近年の嗜好の多様化により、ココア及び乳とは異なる風味を持つチョコレ−ト生地もよく見受けられるが、それら風味チョコレ−ト類の多くはホワイトチョコレ−トをベ−スとし、イチゴやア−モンドなどの風味原料を配合することで実現されている。
【０００７】コ−ヒ−や茶類などの風味を持つチョコレ−ト生地も見受けられるが、原則的にチョコレ−ト生地には乾燥物しか配合できないため、コ−ヒ−や茶類の抽出液を乾燥したインスタントコ−ヒ−や茶エキス類などを使用している。他には茶葉の繊維質の少ない部位を選択して加工した可食粉末である抹茶を配合しているものもある。
【０００８】一般に食品の主原料とは重量５％以上含まれるものとされ、チョコレ−トの規格においても風味原料が重量５％以上含まれる場合に包装に表示することや商品名に使用することが可能である。
【０００９】インスタントコ−ヒ−や茶エキス類あるいは抹茶などは、非常に風味が強く、チョコレ−ト生地にはごく少量を配合するに留まり、焼き菓子やセンタ−クリ−ム等にコ−ヒ−や茶類を配合し、組み合わせ菓子全体として重量５％以上としている場合が多い。
【００１０】また、インスタントコ−ヒ−や茶エキス類あるいは抹茶などのを使用して得られるチョコレ−ト生地は、固形分の比率の問題から乳の風味が強すぎるか甘味が強すぎるものとなり、チョコレ−ト生地単体で食される板チョコとするには魅力に欠けるものとなっている。
【００１１】抹茶を含有するチョコレ−トに関する特許（特開平５−１６１４５３）も例外ではなく、粉乳は４．５％とやや少ないが無視できる風味ではなく、カカオバタ−の含有量も４５％（実施例）と、通常のホワイトチョコレ−トの脂質が３９．５％（科学技術庁資源調査会編「五訂日本食品標準成分表」）であるのに比べて多くの油脂を含有している。
【００１２】
【発明が解決しようとする課題】本発明は、カカオ固形分及び乳固形分を必須成分とせず、油脂や砂糖を過度に含有しない、コ−ヒ−や茶類の自然な風味を持つチョコレ−ト類を提供することを目的とする。
【００１３】
【課題を解決するための手段】本発明は、通常、抽出後に残渣として廃棄され、食用に供されることのないコ−ヒ−や茶類の繊維質を、チョコレ−トを構成する固形分として利用することで、通常のチョコレ−トと同様の物性を有し、かつ従来得られなかった、コ−ヒ−又は茶類の自然な風味と適度な甘味を合わせ持つチョコレ−ト類を得るものである。
【００１４】
【発明の実施の形態】
水又は湯でその水溶性の成分を抽出して飲料として供されるコ−ヒ−又は茶類の乾燥体、又は同様に処理されたコ−ヒ−又は茶類、及び／或はそれらの抽出残渣（コ−ヒ−粕又は茶殻）と、ココアバタ−等の油脂類、砂糖などの糖類を配合、必要に応じて乳固形分や分散剤、その他副原料を配合し、通常のチョコレ−トの製法どおりに微粒化（レファイニング）、精練（コンチング）することにより、コ−ヒ−や茶類を含有するチョコレ−ト類を得ることができる。
【００１５】配合するコ−ヒ−や茶類、又はコ−ヒ−粕や茶ガラなどの抽出残渣は、あらかじめ乾燥、粉砕し、粉末状にしておくほうが好ましい。
【００１６】本発明は、本来抽出後に残渣として廃棄される繊維質をチョコレ−トの構成成分として利用することで、通常のチョコレ−ト同様の物性を持ちながら、好ましい自然なコ−ヒ−や茶類の風味と適度な甘味を併せ持つチョコレ−ト類を得るものである。
【００１７】抽出される前のコ−ヒ−や茶類も繊維質を多く含有しているが風味成分が非常に強いために多量に配合すると風味が強過ぎる結果となりやすく、強いミルクの風味や強い甘味と調和させる場合には適用可能であるが、コ−ヒ−粕や茶ガラなどの抽出残渣を使用、或は併用することでより自然な風味と甘味を持つものとすることが出来る。
【００１８】さらに乳の風味を抑えたい場合や甘味を減じたい場合には、高温高圧下で抽出された抽出残渣を用いることでより高い配合比率を実現することが可能である。
【００１９】
【実施例１】コ−ヒ−チョコレ−ト
砂糖３８部、カカオバタ−３５部、コ−ヒ−粕２６．５部、レシチン０．５部を通常のチョコレ−トの製法どおりに、混合、微粒化、精練を行い、得られたチョコレ−トは、通常のチョコレ−トと同様の粘度や物性を有していた。
【００２０】得られたチョコレ−トを調温し、プラスチック型に流し込み、冷却して得られた板チョコは、チョコレ−ト特有の口溶けを持ち、自然なコ−ヒ−の苦味と、程よい甘さを有していた。
【００２１】
【実施例２】ミルクティ−チョコレ−ト
砂糖３５部、カカオバタ−３４部、紅茶抽出残渣１６．５部、全脂粉乳１４部、レシチン０．５部を、通常のチョコレ−トの製法によって得られた板チョコは、チョコレ−ト特有の口溶けを持ち、紅茶の香りと渋みに加え、マイルドなミルクの風味をがあり、程よい甘さを有していた。
【００２２】
【実施例３】ミルクコ−ヒ−チョコレ−ト
砂糖３５部、カカオバタ−３４部、全脂粉乳１４部、コ−ヒ−粕１０．５部、コ−ヒ−５部、レシチン０．５部を通常のチョコレ−トの製法によって得られた板チョコは、チョコレ−ト特有の口溶けを持ち、自然なコ−ヒ−の苦味と、マイルドなミルクの風味をがあり、程よい甘さを有していた。
【００２３】
【発明の効果】本発明により、コ−ヒ−や茶類の自然な風味を有し、油脂や砂糖を過度に多くすることなく、乳固形分を必須成分としない、新規なチョコレ−ト類を提供することが可能となった。
(57)【要約】【課題】ポット内で根のひ弱な枝豆などの種子に良好に根を張らせる。【解決手段】ポットの深部途中にポット内径と略一杯に展開する略平坦面からなる播種部を形成することを特徴とする。【選択図】          図２
2004329106.tif 000002
【特許請求の範囲】
【請求項１】
多数のポットを有するセルトレイに床土を充填して播種部を形成し、この播種部に種子を落下播種し、播種された播種部に覆土を施すセルトレイへの播種方法において、上記播種部を、ポットの深部途中にポット内径と略一杯に展開する略平坦面に形成することを特徴とするセルトレイへの播種方法。
【発明の詳細な説明】
【０００１】
【発明が属する技術分野】本発明は、セルトレイへの播種方法に関するものである。
【０００２】
【従来の技術】従来、セルトレイへの播種方法は特開２００２−８４８２１号公報によって開示されている。
【０００３】
上記開示された播種方法は、図３のようにポット１１に床土２２を満杯に充填した状態で更に床土２２の面に突起物により播種孔３３を押成形し、この播種孔３３に種子を落下播種する方法であるが、以下の課題がある。
【０００４】即ち上記押成形により播種孔３３を形成すると、必然的に播種孔周りの土が圧縮されて硬く締まり、従って例えば枝豆のような根の張りのひ弱な苗では根上がりが発生し、苗の生長が悪くなり、特にひとつのポット当たりに１粒の種子を播く枝豆等では成長率の悪さがポット苗の生産性を大きく左右させる原因となる。
【０００５】
ちなみに、枝豆種子を畑に直に播かないのは土の温度や水分の一定の管理ができず、出芽率が悪いからである。
【０００６】
【発明が解決しようとする課題】そこで本発明は、床土が硬く締まる原因が播種孔の成形方法であることに着目し、この播種孔を不必要とする播種方法の採用により根の張りのひ弱な枝豆などの苗に良好に根を張らせ、苗の成長率を高めてポット苗の生産性を向上させることを目的とするものである。
【０００７】
【課題を解決するための手段】本発明は、多数のポットを有するセルトレイに床土を充填して播種部を形成し、この播種部に種子を落下播種し、播種された播種部に覆土を施すセルトレイへの播種方法において、上記播種部を、ポットの深部途中にポット内径と略一杯に展開する略平坦面に形成することを特徴とするものである。
【０００８】
【発明の実施の形態】図１は、セルトレイ（Ａ）を示し、底に水抜き孔を有する多数のポット１を並設している。ポット１には以下の手順で播種される。
【０００９】
先ず図２（イ）のように、ポット１に床土２を充填する。充填量はポット穴１の深さの半分程度が好ましい。また充填された床土２の上面を略平坦にならしてこの平坦面を播種部３となす。
【００１０】
上記のように形成された播種部３に（ロ）のように種子４を落下播種する。次に上記（ロ）で播種された平坦面からなる播種部３に（ハ）のように覆土５を施す。
【００１１】
上記手順により播種した後、潅水して出芽を促し育苗するものである。
【００１２】
上記覆土４、床土２は水捌けを良くするために適量の砂等を混ぜ合わせのが好ましい。
【００１３】
又、上記図２の（イ）乃至（ハ）の手順のうち、少なくとも（ロ）（ハ）は図示しない播種機構によって行なわれものである。
【００１４】
【実施例】発明の実施の形態を参照。
【００１５】
【発明の効果】以上説明したよに本発明は、従来のポット内の床土が硬く締まる原因が播種孔の成形方法であることに着目し、この播種孔を不必要とする播種方法の採用により根の張りのひ弱な枝豆などの苗の根上がりを防がせて良好に根を張らせ、成長率を高めてポット苗の生産性を向上させることができる。
【図面の簡単な説明】
【図１】セルポットの斜面図である。
【図２】（イ）乃至（ハ）はポットへの播種手順図である。
【図３】従来のポットへの播種説明図である。
【符号の説明】
Ａ      セルトレイ
１      ポット
２      床土
３      播種部
４      種子
５      覆土
【図１】
2004329106.tif 000003
【図２】
2004329106.tif 000004
【図３】
2004329106.tif 000005
(57)【要約】【課題】庭木に作業台を取りつけやすくするために、幹に当てる台つき庭木作業台を提供する。【解決手段】四角形台（１）に、長い三角形の当てる台（７）を設け、下部（Ａ）の傾斜を調整するために交換する、三角形置台（２）を横すべりすることなく装着することを特徴とする。【選択図】      図４
2004329191.tif 000002
【特許請求の範囲】
【請求項１】
四角形台（１）外側の当てる台（７）、内側に荷締機（３）を設け、水平に取り付ける、幹に当てる台つき庭木作業台。
【発明の詳細な説明】
【０００１】
【発明の属する技術分野】
この発明は、庭木の幹に作業台を水平に取りつける、四角形台に関するものである。
【０００２】
【従来の技術】
従来、高い庭木の剪定には、三脚々立を周囲に２台、３台と連立させる地面の起伏には継足をして、階段を水平にしてから仕事をする、又歩板を乗せてその板の上で仕事をする、又クレーン車を使かう時には、駐車する場所が無い時もあり、不安定な作業場所で仕事をすることが日常的に行われている。
【０００３】
【発明が解決しようとする課題】
これには、次のような欠点があった。
（イ）地面の起伏によって脚立の階段の高さをそろえることが困難である。
（ロ）庭木の枝の出方で歩板を横向きに取り付けることが出来ない。
（ハ）庭木の枝の出方で必要な作業場所を作ることが困難である。
（ニ）高い木の上で無理な姿勢で仕事を行なうから落下することもある。
本発明は、これらの欠点を除くためになされたものである。
【０００４】
【課題を解決するための手段】
四角形台（１）の下部（Ａ）の上面に上と下に折り曲げ突起をつけた座金（４）と三角形置台（２）を組み重さね、ボルト（６）で締める．そして四角形台（１）の幹に当たる場所に長い三角形の当てる台（７）荷締機（３）を反転して回わるように設ける。
【０００５】
【発明の実施の形態】
以下本発明の実施例について説明する
（イ）四角形台（１）に長い三角形の当てる台（７）を設け、荷締機（３）を設ける。
（ロ）四角形台（１）の下部（Ａ）の上面に上と下に折り曲げ突起をつけた座金（４）を挾み、交換ができる三角形置台（２）を設ける。
本発明は、以上のような構造でこれを使用するときは、長い三角形の当てる台（７）にボルトで一点止めをした荷締機（３）を（図３）から（図４）に示すように９０°回転させてつけ、ベルト（８）を幹に回わして、ラチエツトのベルト通し（９）を径て手動レバー（１０）を作動、取りつける。
四角形台（１）の下部（Ａ）の上面に傾斜が出来て、水平に片寄りができると、備品から三角形置台（２）と、上と下に折り曲げ突起をつけた座金（４）を組み重さねる、この突起は横に外れることを防ぐ特長がある、ボルト（６）を中心に入れる、そこで下部（Ａ）の傾斜が、鋭角か鈍角かで（図３）から（図４）のように反転させて切替えることもできて、ボルト（６）で締める、高い木も、垂直は庭木も四角形台（１）で対応できるなお、ベルト（８）はワイヤー、チエーンとも変えることができる。
【０００６】
【発明の効果】
庭木の根の力を利用することが、強力て安定した庭木作業台の片側ができる、隣木及び脚立と連携して設けるので、安全性のすぐれた庭木剪定作業ができる。
【図面の簡単な説明】
【図１】本発明の正面図
【図２】本発明の平面図
【図３】本発明の実施を示す斜視図
【図４】本発明の一部を切欠いた実施例を示す側面図
【符号の説明】
四角形台（１）  三角形置台（２）  荷締機（３）  上と下に折り曲げ突起をつけた座金（４）  下部（Ａ）の中心穴（５）  ボルト及びナツト（６）  長い三角形の当てる台（７）  ベルト（８）  ベルト通し（９）  手動レバー（１０）
【図１】
2004329191.tif 000003
【図２】
2004329191.tif 000004
【図３】
2004329191.tif 000005
【図４】
2004329191.tif 000006
(57)【要約】      （修正有）【課題】室内犬の足を洗う器具を提供する。【解決手段】室内犬の、足を洗う器具であり、犬を戸外から室内にいれるときに、汚れた足を洗うものである。水道の蛇口をひねるだけで、勝手にローラーベルトの上を犬が歩き、両側から出てくるシャワーで、犬の足の部分が簡単に、きれいに洗えるようになる。この器具の長所は、モーターや電気など使わずにコストを低くした点にもある。【選択図】図１
2004329196.tif 000002
【特許請求の範囲】
【請求項１】
【発明の詳細な説明】
【０００１】
【産業上の利用分野】
犬の足を洗う器具である。
プラスチック製の容器で中の両側に水が出る管を取り付け、ベルトローラーの上を犬が歩く。
（ベルトローラーは人口芝様なので、汚れが落ちる。前方を僅かに高くする。）
【０００２】
【従来の技術】
ホースなどで、犬の足を無理やり掴んで、４本の足を１本づつ洗っていた。
【０００３】
【発明が解決しようとする課題】
【イ】人間は中腰の姿勢で行う。水にぬれる。
それを、１日数回行う。
【ロ】つい、面倒で手を抜いたりしがちで、衛生面で大変効果があります。
【０００４】
【議題を解決する為の手段】
戸外から帰った犬を器具に入れる。
2004329196.tif 000003
【０００５】
【作用】
人間が水栓を開閉するだけで、犬がローラー芝の上を歩き、出てくるシャワー状の水で汚れを落とす。
【０００６】
【実施例】
以下、本案の実施例について説明する。
【イ】プラスチック製の長方形の箱の中の、底に近い部分に、ローラーベルトを取り付ける。ベルトの部分は、人工芝様で上を歩けば、ブラシの役目をする人工芝が回る。
【ロ】ローラーベルトの両側にシャワー状に水が出る穴のあいた管を２本取り付ける。
２本の管は、水道のホースから継ぎ手で、２本に分かれる。
【ハ】汚い水は、容器の底の排水口から出す。
【二】犬は、洗った後スポンジタオルの上を歩き水分を取る。
【０００７】
【発明の効果】
本案は、以上の様な構造で、これを使用する時は、犬に愛情を持って接し、犬の嫌がることはしないこと。
但し、最初慣れない内は、少し嫌がりますが、慣れてきますと、以外と簡単に洗うことが出来て、人間も犬も楽です。１日数回、雨の日は特に便利です。
何よりも大切なことは、衛生的であると言う事です。
【図面の簡単な説明】
【図１】
【符号の説明】
イ）透明プラスチック製の容器
ロ）プラスチック製水道管（シャワー状に水が出る穴があいている。
ハ）幅広のベルト（たわしの役目をする人工芝様）前方は少し高くする。
二）人工芝様のベルトのしたに１０本のローラーを並べる。
ホ）ローラーの軸（１０本）
ヘ）スポンジタオル
ト）スポンジタオルを敷いた部分の仕切り。
【図１】
2004329196.tif 000004
【手続補正書】
【提出日】平成15年7月30日(2003.7.30)
【手続補正１】
【補正対象書類名】明細書
【補正対象項目名】特許請求の範囲
【補正方法】変更
【補正の内容】
【特許請求の範囲】
【請求項１】
シャワー状に水の出るベルトローラーの上を歩かせて犬の足の汚れを取る器具。
【手続補正２】
【補正対象書類名】明細書
【補正対象項目名】図面の簡単な説明
【補正方法】変更
【補正の内容】
【図面の簡単な説明】
【図１】本発明の平面図である。
プラスチック容器の下方に芝様の幅広ベルトローラーをつける。左右の水道管からシャワー状に水が出る仕組み。犬がベルトの上に乗ると少しだけ傾斜しているのでローラーベルトが回るので歩き出す。
【符号の説明】
「図１」平面図
イ）  透明プラスチック製の容器
ロ）  プラスチック製水道管（シャワー状に水が出る穴があいている。左右に１本づつ
ハ）  幅広のベルト（タワシの役目をする人工芝様）前方は少し高くする。傾斜をつける。
二）  人工芝様の幅広ベルトの下に１０本のローラーを並べる。
ホ）  この部分にゴムホースをつけて水道の蛇口につなぐ。
ヘ）  スポンジタオル。吸水性の優れたもの。
ト）  スポンジタオルを敷いた部分の仕切り。
チ）  ローラーの軸
(57)【要約】      （修正有）【課題】兎、フェレット等の牧草を食する小動物用牧草ラックで、小動物が牧草を咀嚼する際に大幅に散乱することを防止することを目的にするとともに、周期的に固いものをがじる事が必要な小動物用のかじり木として使用する。【解決手段】餌箱とかじり木とを同一化することで、小動物が牧草を咀嚼する際に牧草がが大幅に散乱することが防止できると共に、経済的な上、飼育箱の周辺に散乱した牧草が原因となるカビ及び害虫発生を防止することとなる。  また、周期的に固いものをがじる事が必要な小動物用のかじり木として使用できる。【選択図】  図１
2004329197.tif 000002
【特許請求の範囲】
【請求項１】
兎、フェレット等の牧草を食する小動物用牧草ラックで、上下および左右で牧草を挟んで固定することを特徴とした木製小動物用牧草ラック。
【請求項２】
兎、フェレット等の牧草を食する小動物用かじり木で、牧草投与器具としても使用でき、上下および左右で牧草を挟んで固定することを特徴とした小動物用かじり木。
【発明の詳細な説明】
【０００１】
【発明の属する技術分野】
本発明は、兎、フェレット等の牧草を食する小動物用牧草ラックで、小動物が牧草を咀嚼する際に大幅に散乱することを防止することを目的にするとともに、周期的に固いものをがじる事が必要な小動物用のかじり木として使用する事を目的としたことに関する。
【０００２】
【従来の技術】
現在、使用されている牧草ラックを見ると、金属、プラチィック製が殆どであり、その形状も箱型になっており、牧草を投げ入れる使用方法であるため、牧草の散乱が著しく、非経済的な上、飼育箱の周辺に散乱した牧草が原因となるカビ及び害虫発生の要因となっている。
【０００３】
また、現在、使用されている小動物用のかじり木をみると、本発明とは異なり、かじり木単体で構成されている。
【０００４】
【発明が解決しようとする課題】
そこで本発明は、小動物用牧草ラックと小動物用かじり木のもつ必要性を併せ、尚且つ、牧草の散乱を大幅に削減した上に、両方が必要とする飼育箱内のスペースを削減し、小動物に快適な居住空間を提供することができる。
【０００５】
特に、牧草の散乱が殆どなくなり、貴重な資源の無駄遣いが大幅に減少することとなる。
【０００６】
また、牧草を挟んである為、小動物が振り回しながら咀嚼するケースが多く、運動不足が幾分解消されることとなる。
【０００７】
咀嚼回数の増加は、動物本来の顎と歯を形成することにも大きくつながり、動物の骨格を形成する上でも本発明は役立つこととなる。
【０００８】
【課題を解決するための手段】
本発明のうち請求項１記載の発明によれば、牧草を木製の板で強く挟んでいる為に、小動物が咀嚼する際にも、牧草の散乱が極めて少ない。
【０００９】
本発明のうち請求項２記載の発明によれば、かじり木と餌箱を同一化することで、その専有面積が半分となり飼育箱内のスペースが有効に活用できる。
従って、動物の居住スペースも広がり運動不足にも貢献することとなる。
【００１０】
【発明の実施の形態】
木材は、合板及びチップ材等の加工された木材を使用せず、檜、桜、林檎等を使用した、小動物用牧草ラックと小動物用かじり木を製作する。
【００１１】
【発明の効果】
本発明の、小動物用牧草ラックを使用すると、小動物が牧草を咀嚼する際に牧草が大幅に散乱することが防止できると共に、経済的な上、飼育箱の周辺に散乱した牧草が原因となるカビ及び害虫発生を防止することとなる。
また、周期的に固いものをがじる事が必要な小動物用のかじり木として使用でき、飼育箱内の限られたスペースの有効利用ができることとなる。
【００１２】
【図面の簡単な説明】
【図１】本発明品を、斜めからみた立体図である。
【図２】本発明品を、正面からみた平面図である。
【図３】本発明品を、側面からみた断面図である。
【符号の説明】
１  挟板止め具
２  挟板止め具
３  牧草挟板
４  牧草挟板
【図１】
2004329197.tif 000003
【図２】
2004329197.tif 000004
【図３】
2004329197.tif 000005
(57)【要約】【課題】この発明は、釣りに使用する小道具で、釣り場にて、浮き下から底までの道糸の長さ調節が出来て、取り外しが簡単でハリスに傷をつけず、紛失しずらいことを目的とした、底棚を確保する釣小道具を提供するものである。【解決手段】金属性のバー（１）の一端にフック（２）を形成し、それに相対する端に錘（３）を付つけた、そしてフック（２）には、釣針（８）を刺すための弾性体を使用した帯（４）を取り付けた。【選択図】  図１
2004329193.tif 000002
【特許請求の範囲】
【請求項１】
金属性のバー（１）の一端にフック（２）を形成し、それに相対する端に錘（３）を付けた、そしてフック（２）には、釣針（８）を刺す弾性体を使用した帯（４）を取り付けたことを特長とする底棚を確保する釣小道具。
【発明の詳細な説明】
【０００１】
【発明の属する技術分野】
この発明は、防波堤または磯などの釣りに使用する小道具で、釣り場にて、浮き下から底までの道糸の長さ調節が出来て、取りはずしが簡単でハリスに傷をつけず、紛失しずらいことを目的とした、底棚を確保する釣小道具に関するものである。
【０００２】
【従来の技術】
従来、浮き下から底までの道糸の長さ調節をするには、浮きの浮力よりも重くなるように錘をハリスまたは釣針に取りつけ行なった。
割ビシを使用してハリスに付ける場合、浮き下から底までの道糸の長さ調節が終り、割ビシを外すと、ハリスに傷が付いたり、また外すのに手間どった。
またハリスに傷を付けないように割ビシを釣針に取りつけると、水中で紛失することがあった。そしてそれを紛失しないように確り取り付けると、外してから割ビシが使いものにならなくなった。
違う方法で、アイ付きの錘を釣針に取りつけた場合には、水中で外れて紛失することがあった。
【０００３】
【発明が解決しようとする課題】
イ、防波堤、磯などで、黒鯛、または他の魚で底に棚がある場合、底棚を確保する小道具は重要であって、それを取り付ける、または外す動作を簡単にしかも瞬時に行え便利にすること。
ロ、釣人にとってハリスに傷が付くことは非常に困り神経質なことである。よって全く傷が付かないこと。
ハ、水中で鉛玉一つでも紛失すると環境に悪影響をあたえる、また紛失すれば買い揃えるしかなかった。
【０００４】
【課題を解決するための手段】
本発明は上記課題を解決する為のもので、
金属性のバー（１）の一端にフック（２）を形成し、それに相対する端に錘（３）を付けた、そしてフック（２）には、釣針（８）を刺すための弾性体を使用した帯（４）を取り付けた。
【０００５】
【発明の実施の形態】
本発明を使用するときは、
イ、予め、釣竿に仕掛けを取り付けた状態で、弾性体を使用した帯（４）を指でつまみ、もう一方の手の指で釣針（８）をつまみ、弾性体を使用した帯（４）に刺し通す、この状態で水中に投入する。
ロ、投入すると、錘（３）によって、仕掛けの釣針（８）は底に着く。
ハ、浮き下の仕掛けの長さにより、短いと浮きが水中に沈む、または長いと浮きが流れる、これを確認して浮き止めを調節する。
ニ、調節が終わったら、弾性体を使用した帯（４）を指でつまみ、もう一方の手の指で釣針をつまみ、弾性体を使用した帯（４）より釣針（８）を引き抜く。
ホ、以上で、使用する為の一連の動作を終了する。
【０００６】
【実施例】
以下、本発明の実施例について説明する。
図１、図２、に示すように、
金属性のバー（１）の一端にフック（２）を形成し、それに相対する端に錘（３）を付けた、そしてフック（２）には、釣針（８）を刺すための弾性体を使用した帯（４）を取り付けた。
金属性のバー（１）とフック（２）の材質は、折れない、曲がったままにならない強い材質の線材で、フック（２）の曲げ加工後に焼き入れ、焼き戻し後、メッキにて対応した。
金属性のバー（１）と錘（３）の取り付けは錘（３）に穴を開けておいて圧着し固定した。
錘（３）の重量は釣り用の錘で１．５号位が適当で、グラムにして約８グラムである。
【０００７】
図２、図３、に示すように、
釣針（８）を刺すまたは引き抜くための弾性体を使用した帯（４）は、厚さ０．７ミリのゴム材を使用したが、厚み０．２ミリ程度の合成樹脂でも対応出来た。
【０００８】
本発明は以上のような構造で、この作用を説明すると、
イ、すぐに釣が出来るよう釣竿に仕掛けを取り付けた状態で、フック（２）で固定された、弾性体を使用した帯（４）を指でつまみ、もう一方の手の指で釣針（８）をつまみ、弾性体を使用した帯（４）に刺し通す、この状態で釣針（８）は弾性体を使用した帯（４）に固定され取り付けが終わる。そして仕掛けごと水中に投入する。
ロ、投入すると錘（３）によって、仕掛けの先端の釣針（８）は弾性体を使用した帯（４）とフック（２）そしてバー（１）を介して錘（３）と共に底に着く。
ハ、浮き下の仕掛けの長さにより、短いと浮きが水中に沈む、または長いと浮きが流れる、これを確認して水中より仕掛けを引き上げ浮き止めを上下して浮き下を調節する。一度で浮き下が決定出来なければ、再度、仕掛けを水中に投入して調節する。
ニ、調節が終わったら、弾性体を使用した帯（４）を指でつまみ、もう一方の手の指で釣針をつまみ、弾性体を使用した帯（４）より釣針（８）を引き抜く。
ホ、以上で、一連の動作を終了し仕掛けに餌を付ける。
【０００９】
【発明の効果】
イ、防波堤、磯などで、黒鯛、または他の魚で底に棚がある場合、底棚を確保する小道具は重要であって、それを取り付ける、または外す動作を簡単にしかも瞬時で行えるので便利になった。。
ロ、釣人にとってハリスに傷が付く事は非常に神経質な事であったが、本発明により全く傷が付かなくなった。
ハ、水中で鉛玉一つでも紛失すると環境に悪影響をあたえる、また紛失すれば買い揃えるしかなかった。それが本発明によりほとんど無くなった。
以上、本発明は簡単な構造により、取り付け、取はずしの煩わしさがなくなった。
【図面の簡単な説明】
【図１】本発明の斜視図
【図２】本発明の実施例の斜視図
【図３】本発明の実施例、合成樹脂を使用した帯の斜視図
【図４】従来の方法で割ビシを取り付けた正面図
【図５】従来の方法でアイ付錘を取り付けた正面図
【符号の説明】
１金属性のバー  ２フック  ３錘  ４弾性体を使用した帯  ５合成樹脂を使用した帯  ６割ビシ  ７アイ付錘  ８釣針  ９ハリス
【図１】
2004329193.tif 000003
【図２】
2004329193.tif 000004
【図３】
2004329193.tif 000005
【図４】
2004329193.tif 000006
【図５】
2004329193.tif 000007
(57)【要約】【課題】骨蓋に開けた納骨用の穴から雨水が納骨堂に侵入しないようにする。【解決手段】骨蓋３に長円形の穴７をあける。穴は少なくとも骨壷が通る大きさにする。穴７を塞ぐために、上蓋９を設ける。穴７から雨水が入らないように、穴の周縁に沿って、骨蓋本体と一体の立ち上がった縁１１を巡らす。上蓋９の下面には、穴の縁１１が適合する形状および大きさを備えた長円形の凹部１２を形成する。【選択図】        図２
2004176364.tif 000002
【特許請求の範囲】
【請求項１】
納骨堂の上部を覆っている骨蓋に納骨用の穴を設け、該穴の周縁に沿って立ち上がった縁を形成し、該縁が収まる凹部を下面に設けた上蓋を該骨蓋の上に載せるようにした墓石。
【発明の詳細な説明】
【０００１】
【発明の属する技術分野】
この発明は、骨蓋を取らなくても納骨できるようにした墓石に関する。
【０００２】
【従来の技術】
従来の墓石は、納骨堂を覆っている骨蓋を開けて納骨を行うが、骨蓋が重くて作業がたいへんであった。そこで、骨蓋に、骨壷が通過できる程度の小さな穴をあけ、この穴を骨蓋より小さな上蓋で閉じるようにしたものがある。このものでは、納骨の際は上蓋だけあければよく、上蓋は骨蓋ほど重くないので、作業は楽になる。しかし、骨蓋と上蓋の隙間から雨が納骨堂に侵入しやすい欠点がある。また、長い年月の間に、上蓋がずれて水が浸入することもある。
【０００３】
【発明が解決しようとする課題】
この発明は、骨蓋に開けた納骨穴から雨水が納骨堂に侵入しないようにすることを課題とする。
【０００４】
【課題を解決するための手段】
この発明は、骨蓋に開けた納骨用の穴の周縁に沿って立ち上がった縁を形成し、納骨用の穴を塞ぐための上蓋の下面に該縁が収まる凹部を設けたものである。
【０００５】
この発明によれば、納骨用の穴は上蓋で覆われるので、穴の中に雨が吹き込むことはなく、また、骨蓋の上に雨水が溜まっても、雨水の水位が上蓋周囲に立ち上がった縁を超えない限り、納骨堂への雨水の浸入は起こらない。したがって、大雨のときも浸水を防ぐことが可能である。
【０００６】
また、上蓋の下面に穴周囲の縁が収まる凹部を設けたので、上蓋が穴の上からずれることがなく、雨漏りが起きない。しかも、上蓋の下面が骨蓋に密着するので、見栄えを損なうことがない。
【０００７】
【発明の実施の形態】
図１に示すように、従来どおり、納骨堂１の上に墓石本体２を立てると共に、納骨堂の前側を骨蓋（拝石）３で塞ぐ。符号５は香炉、符号６は花立である。
【０００８】
骨蓋３は、図２、図３に示すように、ただの石板であるが、これには長円形の穴７をあける。穴は少なくとも骨壷が通る大きさにする。この納骨用の穴７を塞ぐために、上蓋（石板）９を設ける。上蓋９の両側には、移動の際に手掛かりとなる切り欠き１０を設ける。香炉５はこの上蓋９の上に載せる。
【０００９】
穴７から雨水が入らないように、穴の周縁に沿って、骨蓋本体と一体の立ち上がった縁１１を巡らす。縁の高さは例えば１０ｍｍほどである。上蓋９の下面には、穴の縁１１が適合する形状および大きさを備えた長円形の凹部１２を形成する。
【００１０】
このように構成したので、図３でよく分かるように、穴の周囲に縁１１が立ち上がっているので、大雨のとき骨蓋３の上に雨水が溜まっても、穴７の中に雨水が流れ込むことがない。また、上蓋の凹部１２の中に縁１１がはまり込んでいるので、上蓋９がずれることがない。さらに、上蓋９が骨蓋本体に密着しており、見栄えもよい。
【００１１】
納骨するときは、図３に鎖線で示すように、香炉５と上蓋９を取り除き、骨壷を穴７から納骨堂１の中に収める。このように、重い骨蓋を取り除かなくても済むので、納骨を容易に行うことができる。
【図面の簡単な説明】
【図１】墓石の斜視図である。
【図２】骨蓋と上蓋の斜視図である。
【図３】骨蓋の断面図である。
【符号の説明】
１  納骨堂
３  骨蓋
７  穴
９  上蓋
１１  縁
１２  凹部
【図１】
2004176364.tif 000003
【図２】
2004176364.tif 000004
【図３】
2004176364.tif 000005
(57)【要約】      （修正有）【課題】河川に発生する藻類を取り除くため、主に熊手を使い、人力にて掻き採り作業を行っており、この作業は、大変な労力を要している。また、引き上げた塵とか藻類を別作業にて貨物自動車に乗せて運搬している。このような掻き揚げ作業、荷積み作業、運搬の労力を軽減することを課題とする。【解決手段】クレーン付き貨物自動車のクレーン先端部に、上下運動および回転運動が可能な両方向熊手６４をとりつけ、河川水面の藻類を掻き揚げ、貨物自動車に荷揚げするまでの作業を行えるようにし、両方向熊手６４は、ケース（３）４０内に組みつけてある油圧モーター６８と連結して回転させることにより、上下に稼動する。さらに、ケース（３）４０部を正逆旋回運動可能とすることにより、藻類の掻き揚げ、荷積み、運搬作業を一貫して行える移動除塵機とした。【選択図】    図２
2004176320.tif 000002
【特許請求の範囲】
【請求項１】
河川等の水路の取水口に設けられたスクリーンの前にたまった塵芥を除去する為の移動除塵機として、クレ−ン付き貨物自動車を走行，荷済み，制御装置本体として用い、クレーンアーム先端部に熊手を取り付ける、この熊手を上下運動、左右旋回、上下旋回、出来るようにし，それにより走行時には荷台上部に収納できるようにしたことを特徴とする移動除塵機
【請求項２】
熊手のかき爪部分は作業う場所が左右両岸で行なわれるため，両方向に熊手のかき爪を具備した請求項１記載の移動除塵機
【発明の詳細な説明】
【０００１】
【発明の属する技術分野】
本考案は、クレーン付き貨物自動車のクレーン先端部に組み付け油圧モーターにて両方向熊手を操作する移動除塵機である。
【０００２】
【従来の技術】
従来は人力による作業が主であった、装置としては、
【特許文献】特許第２９３９７４７号の様な建設機械のアームに取り付けたものがあった。
【０００３】
【発明が解決しようとする課題】
現在は主に人力作業のため、大変な重労働である。又建設機械に取り付けた装置では、建設機械を運ぶ為に別に貨物自動車を必要となり，又塵芥を積むための貨物自動車が必要になるので大変不便である、よってこのような作業を軽減することを目的とした。
【０００４】
【課題を解決するための手段】
主に人力で熊手をつかってしていた作業、専用バケット付建設機械を使ってしていた作業を、クレーン付き貨物自動車のクレーン先端部に油圧モーターで動く熊手付き掻き揚げ装置を取り付け、塵芥の掻き揚げ、荷積み、運搬作業が簡単にできるようにした。
【０００５】
【発明の実施の形態】
（イ）  ６４両方向熊手にて塵を掻き採るために、６１ラックロッドを６６油圧モーターを作動させて上下運動させる。塵を掻き採った後、３０油圧モーターを作動させ、４０ケース（３）部全体を左右に旋回させて塵を荷台に落とす。６１ラック付きロッドが常に水平に対して垂直にするためかつ、クレーン付き貨物自動車の走行時には９０度上部に格納するため、８油圧モーターを作動させて２０ケース（２）部までを上下に旋回させる。
（ロ）    ６４両方向熊手を上下に動かすため、６６油圧モーターの回転軸に４８カップリングと６９キーにより４３軸と結合された４１ウォーム（３）、それにかみ合う４２ウォームホイル（３）と１７キーにより結合された５１軸（３）、また７０キーにより結合された５４平歯車にかみ合う６１ラック付きロット先端部に６４両方向熊手を取り付け、さらに、ブレーキ機構はウォームによるセルフロック機構とした。
（ハ）  ４０ケース（３）部を旋回運動できるよう、３０油圧モーターの回転軸に３１カップリングと３８軸を６８キーで結合し、また、３４ウォーム（２）を１４キーで３８軸に結合し、３４ウォーム（２）にかみ合う２２ウォームホイル（２）に２３軸（２）を２５キーにより結合する。これにより、４０ケース（３）部の首ふり運動を行う。また、ブレーキ機構はウォームによるセルフロック機構とした。
（ニ）４０ケース（３）部と２０ケース（２）部を水平に対して上下方向に旋回させるため、８油圧モーターの回転軸に、５軸を７カップリングと３５キーで結合し、さらに、１４キーで結合された４ウォーム（１）、それにかみ合う３ウォームホイル（１）に１１軸（１）を１９キーで結合することにより、２０ケース（２）部より前部全体が首ふり運動をおこなう。また、ブレーキ機構はウォームによるセルフロック機構とした。
【０００６】
【実施例】
図５の如く作業を行うことが出来た。
【０００７】
【発明の効果】
本考案の移動除塵機は、夏期炎天下のもと人力で行っていた作業を、素早くスム−スに行うことが出来た。又従来の作業では作業員が２，３人必要でしたが、本機を使用することで掻き揚げ，荷済み，運搬を一人で作業することができた。
【図面の簡単な説明】
【図１】本考案の正面図である。
【図２】本考案のＡ−Ａ断面図である。
【図３】本考案のＤ部詳細図である。
【図４】本考案のＥ部詳細図である。
【図５】本考案の矢視Ｃ−Ｃ図である。
【図６】本考案の断面Ｂ−Ｂ図である。
【図７】本考案のＦ部詳細図である。
【図８】本考案のＧ部詳細図である。
【図９】本考案の作業要領図である。
【図１０】本考案の油圧回路図である。
【符号の説明】
１  ．先金具
２  ．ケース（１）
３  ．ウォームホイル（１）
４  ．ウォーム（１）
５  ．軸
６  ．蓋
７  ．カップリング
８  ．油圧モーター
９  ．モーター台
１０．ベアリング
１１．軸（１）
１２．蓋
１３．ベアリング
１４．キー
１５．カラー
１６．ベアリング
１７．キー
１８．蓋
１９．キー
２０．ケース（２）
２１．蓋
２２．ウォームホイル（２）
２３．軸（２）
２４．テーパーコロ軸受け
２５．キー
２６．蓋
２７．ストップリング
２８．ナット
２９．モーター台
３０．油圧モーター
３１．カップリング
３２．蓋
３３．ベアリング
３４．ウォーム（２）
３５．キー
３６．カラー
３７．蓋
３８．軸
３９．ベアリング
４０．ケース（３）
４１．ウォーム（３）
４２．ウォームホイル（３）
４３．軸
４４．ベアリング
４５．蓋
４６．カラー
４７．ベアリング
４８．カップリング
４９．蓋
５０．キー
５１．軸（３）
５２．蓋
５３．カラー
５４．平歯車
５５．カラー
５６．カラー
５７．ベアリング
５８．蓋
５９．ナット
６０．軸受け
６１．ラック付きロッド
６２．ストップカラー
６３．キー
６４．両方向熊手
６５．止め金具
６６．油圧モーター
６７．モーター台
６８キー
６９．キー
７０．キー
【図１】
2004176320.tif 000003
【図２】
2004176320.tif 000004
【図３】
2004176320.tif 000005
【図４】
2004176320.tif 000006
【図５】
2004176320.tif 000007
【図６】
2004176320.tif 000008
【図７】
2004176320.tif 000009
【図８】
2004176320.tif 000010
【図９】
2004176320.tif 000011
【図１０】
2004176320.tif 000012
(57)【要約】［課題］  従来の、開口部が立てのトランクスでは、排尿時、開口部を左右に開き、右側あるいは左側から陰部を取り出すというように操作が多い。素早く容易に用が足せるようにする。［解決手段］  トランクスの前部に開口部２を横方向に設けることにより、開口部の下部４を下げるだけで素早く容易に用を足すことができる。【選択図】  図２
2004176239.tif 000002
【特許請求の範囲】
【請求項１】
トランクスやブリーフ（以下  トランクス）の前面に、縦ではなく横方向に開口部を設け、開口部の下部を下方に下げることにより、素早く用を足せるようにした構造。
【発明の詳細な説明】
【０００１】
［発明の属する技術分野］
本発明は、トランクスの前面に横方向の開口部を設け、排尿態勢をとるための動作を最少限にし、素早く用を足せるようにしたものである。
【０００２】
［従来の技術］
従来のトランクスは、排尿時、（１）ズボンのファスナーを下げて開く。（２）次にトランクスの開口部を左へ、（３）さらに右へ開く、（４）最後に、正中線の右側あるいは左側から陰部を取り出すという４つの手順が必要であり、（２）（３）とくに（４）の動作は手間取ることがある。
【０００３】
［発明の実施の形態］
本発明は、排尿時の動作を最少限に、素早く用を足せるようにしたものである。
図１に示すと、トランクス１の前面に、横方向の開口部２を設け、上部３、下部４に開口できるようにする。このようにして、図２の如く、開口部の下部４を下方に下げることにより、容易に陰部を出せるようにしたものである。
【０００４】
［発明の効果］
このような構造により、排尿時、（１）ズボンのファスナーを下げて開く。（２）トランクスの開口部の下部４を押し下げるという、わずか２つの動作で、素早く用を足すことができ、高齢者の緊急な尿意にも対応できる。
【図面の簡単な説明】
【図１】本案トランクスの正面図
【図２】排尿時の本案トランクスの正面図
【符号の説明】１  トランクス
２  横方向の開口部
３  開口部の上部
４  開口部のゴム紐つき下部
【図１】
2004176239.tif 000003
【図２】
2004176239.tif 000004
(57)【要約】【課題】神輿等の重いものを肩で担いでいる際に、クッション材のタオルをあてがっていても、担持者の動きでタオルが肩からずれたり，外れたりして、クッションが十分に機能していないことがあった。【解決手段】クッシヨン材が肩からずれたり外れたりしないための肩保護具として、肩と脇のまわりを弾力で圧接する弾性帯状バンド３と、肩上をクッションで保護するためのパッド体２とを輪状に一体結合してなる肩当てパッド１を提供する。【選択図】  図１
2004176237.tif 000002
【特許請求の範囲】
【請求項１】
肩と脇のまわりを弾力で圧接する弾性帯状バンドと、肩上をクッションで保護するためのパッド体とを輪状に一体結合してなる肩当てパッド。
【発明の詳細な説明】
【０００１】
【発明の属する技術分野】
重いものを肩で担ぐ際の肩保護の技術に関するものである。
【０００２】
【従来の技術】
お祭りで神輿を肩で担いで巡行するのは、長時間の大変な力仕事であり、肩を痛めるおそれがあり、氏子等は時には肩にタオルを三つ折り、四つ折に重ねてクッション材としてあてがって応急的に肩を保護していた。
【０００３】
【発明が解決しようとする課題】
神輿等の重いものを肩で担いでいる際に、クッション材のタオルをあてがっていても、担持者の動きでタオルが肩からずれたり，外れたりして、クッションが十分に機能していないことがあった。
【０００４】
【課題を解決するための手段】
本発明は、重いものを肩で担いでいる際に、クッション材が肩からずれたり外れたりしないための肩保護具として、肩と脇のまわりを弾力で圧接する弾性帯状バンドと、肩上をクッションで保護するためのパッド体とを輪状に一体結合してなる肩当てパッドを提供するものである。
【０００５】
【発明の実施の形態】
図１は本願発明の肩当てパッド１を神輿を担ぐ際に装着した様子を示し、図２は本願発明の肩当てパッド１を示すものである。
タオルを四つ折り、または八つ折りにしたりして重ねたり、２枚のタオルを組み合わせて重ねる等して、肩上を保護するに十分な大きさのパッド体２（成人用の場合、幅１２センチ、長さ２４センチ、厚さ３センチ位）を縫って作成する。また、弾性帯状バンド３（成人用の場合、幅３２ミリ、長さ３３センチ、厚さ１ミリ位）を用意する。この弾性帯状バンド３は、トレーニングウエアまたはジョギングウエアのズボンやショートパンツ等の衣料品に取り付けられる編物からなる弾性のバンド材と同じ材料であって、通称、ゴムバンドといわれており全体として長手方向に伸縮するものである。テニススポーツ選手がサポータとして手首に着用することもある弾性の帯状バンド材である。
【０００６】
次いで、パッド体２と弾性帯状バンド３の端部同志を縫い合わせて、本願発明の輪状の肩当てパッド３ができる。その際、パッド体２と弾性帯状バンド３との重なり合い部は、両端部ともいずれも３センチ位である。
【０００７】
パッド体は内部にクッション材を容れて布で包んだものでもよい。
【０００８】
本発明の肩当てパッドは、前述したお祭りでの神輿担ぎの他に、種種の担ぎの用途に役立つ。例えば、スキーを肩で担ぐためや、林業で丸太を担ぐためや、農業分野においても使用できるものである。
また、登山用リュックサックを背負うときや、赤ん坊を負ぶい紐を用いて背負うときは、本願発明の肩当てパッドを左右の肩にそれぞれ着用するようにすればよい。
【０００９】
【発明の効果】
肩上をクッションで保護するためのパッド体が、弾性帯状バンドによる適度な圧接力により肩部からずれたり外れたりしない。そして弾性帯状バンドは、平たいから、締め付け力が集中せず、使い心地が良く、お祭りでの神輿担ぎが楽しくできる。
【図面の簡単な説明】
【図１】本願肩当てパッドを装着した様子を示す図である。
【図２】肩当てパッドの斜視図である。
【図１】
2004176237.tif 000003
【図２】
2004176237.tif 000004
(57)【要約】【課題】調湿・断熱・遮音・消臭に優れている人工ゼオライトを不織布・フエルト等の布地或は織物生地の布材に塗布又は貼付ることが容易に出来るようにする。【解決手段】人工ゼオライト０以上〜９０％の範囲で樹脂に混入或は混練して焼結したペレットを、若しくはペレットからフイルム化したシートを不織布・フエルト等の布地或は織物生地の布材に塗布又は貼付を可能としたものである。【選択図】        なし【特許請求の範囲】
【請求項１】
人工ゼオライトを０以上〜９０％の範囲で樹脂に混入或は混練して焼結したペレットを、布織布・フエルト等の布地或は織物生地の布材に塗布を可能としたことを特徴とする人工ゼオライトの内装用布材への塗布・貼付方法。
【請求項２】
ペレットをフイルム化してシートとし、布材に貼付を可能とした請求項１記載の人工ゼオライトの内装用布材への塗布・貼付方法。
【発明の詳細な説明】
【０００１】
【発明の属する技術分野】
本発明は人工ゼオライトをペレット或はフイルム化にてシートとして布織布・フエルト等の布地或は織物生地の布材に塗布又は貼付ることが出来るようにした人工ゼオライトの内装用布材への塗布・貼付方法に関するものである。
【０００２】
【従来の技術】
近年生活環境などの変化により衣食住に於いてもより良くするために色々な研究が行なわれている。
その中で住についても新しい感覚による設計にて使い易く住み良い家やビルの建設が行なわれて来ている。
更に家やビルの敷物や壁・天井材等の内装や家具屋調度品などのインテリや関係に於いても、同じように家やビルにマッチするように施工されて来ている。
【０００３】
このためにより住む上、特に床・壁・天井材として用いるマット類或は織物生地に於いて重要な調湿・断熱・遮音・消臭等に対しての対策に十分に応えようとしての材料が考えられてきている。
そのために人工ゼオライトが消臭性・吸音性に優れているため注目を浴びて来ているが、床・壁・天井材として用いられる不織布又はフエルトなどの内装用布材には未だ使用されていない。
【０００４】
【発明が解決しようとする課題】
このように人工ゼオライトは消臭性・吸音性に優れているが、この形態は１０〜３０μの微粉末のため不織布又はフエルト等の内装用布材に塗布又は貼り付けようとしても飛散して出来ず人工ゼオライトの使用上非常に不都合を感じていた。
【０００５】
【課題を解決するための手段】
本発明はこのような不都合を解消するもので、
人工ゼオライト０以上〜９０％の範囲で樹脂に混入或は混練して焼結したペレットを、若しくはペレットからフイルム化したシートを不織布・フエルト等の布地或は織物生地の布材に塗布又は貼付を可能としたものである。
【０００６】
【作用】
このように樹脂に混入或は混練して焼結すると、微粉末の人工ゼオライトが飛散することなくペレット及びフイルム化したシートとなり、不織布・フエルト等の布地或は織物生地の布材への塗布又は貼付が容易となる。
そして人工ゼオライトを塗布又は貼付た布材は、多孔質物質である人工ゼオライトの調湿・断熱・遮音・消臭などの性質を十分に発揮することが出来る。
このため建築用の内装関係は勿論他の分野での使用が可能でありその応用範囲も広い。
【０００７】
【発明の効果】
上述の如く本発明の請求項１に於いては、人工ゼオライトを焼結によってペレットとし、不織布・フエルト等の布地或は織物生地の布材への塗布を容易にしている。
請求項２に於いては、ベレットをフイルム化にてシートとし、不織布・フエルト等の布地或は織物生地の布材への貼付を容易にしている。
以上の如く人工ゼオライトの布材への塗布又は貼付を容易としたことによって、人工ゼオライトの特性を十分に発揮させることが出来、建築用の内装関係は勿論他の分野での使用が可能でありその応用範囲も広く、産業利用上非常に優れた発明である。